(57)【要約】  異なる移動無線システムの送信枝および／または受信枝ＳＺ、ＥＺの出力をアンテナＡＮＴへと選択的に接続する、マルチスイッチＭＳを主要素とする、移動無線装置のためのモジュールを提供する。モジュールは、マルチバンド方式、そしてオプションとして、さらにマルチモード方式に適しており、周波数複信移動無線システムの送信枝および受信枝の出力を少なくとも１対を供える。マルチスイッチの各出力とアンテナとの間では、整合素子が提供され、接続される枝の電気整合を可能とする。複信化処理は、個別の送信枝および受信フィルタを介して、またはスイッチ上で、送信枝および受信枝の個別の出力を介して行われる。【選択図】図２
2009531882.tif 000002
【特許請求の範囲】
【請求項１】
移動無線装置のモジュールであって、
前記モジュールは、
必要に応じて、異なる移動無線システムの送信枝および／または受信枝の出力をアンテナに接続するマルチスイッチ、
ＦＤＤモードで複信化される第１の移動無線システムの送信枝のための第１の出力、
前記第１の移動無線システムの受信枝のための第２の出力、
前記第１の移動無線システムとは異なる、第２の移動無線システムの送信枝のための第３の出力、
前記第２の移動無線システムの受信枝のための第４の出力、
を備え、
前記マルチスイッチは、前記第１の移動無線システムの送信枝と受信枝とを同時にアンテナに接続するスイッチ位置を有し、整合素子は、前記第１の移動無線システムの送信枝と受信枝に配置されるフィルタのＦＤＤ複信化方式を保証するためモジュールに集積され、前記スイッチ位置において、対応する枝に接続される、
ことを特徴とするモジュール。
【請求項２】
ＦＤＤモードにおいて複信化される少なくとも２つの移動無線システムの送枝信および受信枝を備える、
ことを特徴とする請求項１に記載のモジュール。
【請求項３】
少なくとも１つのさらなる移動無線システムにおける送信枝と受信枝のそれぞれについて、少なくともさらなる２つの出力がマルチスイッチ上に提供され、少なくとも２つの移動無線システムが、少なくとも２つの異なる送信基準に準拠する、
ことを特徴とする請求項１または２に記載のモジュール。
【請求項４】
前記送信枝の出力は互いに近接して配置されるが、前記受信枝の出力からは空間的に離散される、
こと特徴とする請求項１乃至３のいずれか１項に記載のモジュール。
【請求項５】
前記出力に接続可能な各枝について、整合素子が前記モジュール内に集積され、前記整合素子は、位相線、インダクタンス、キャパシタンス、インピーダンス整合ネットワーク、またはインピーダンス変換要素を備える、
ことを特徴とする請求項１乃至４のいずれか１項に記載のモジュール。
【請求項６】
スイッチ位置が前記マルチスイッチ内に提供され、前記スイッチ位置は、前記第１の移動無線システムの送信枝および受信枝を、さらなる移動無線システムの少なくとも１つの送信枝または受信枝とともにアンテナに接続し、これにより、集積された整合素子を介したマルチプレクス機能を可能とする、
ことを特徴とする請求項１乃至５のいずれか１項に記載のモジュール。
【請求項７】
前記マルチスイッチは、複数の金属皮膜面を有する、多層構造のモジュール基板上にマウントされ、前記金属皮膜面は、レジスタンス、位相線、キャパシタンス、および／またはインダクタンスのうちから選択される受動素子を備える、リレーによって構成される、
ことを特徴とする請求項１乃至６のいずれか１項に記載のモジュール。
【請求項８】
２つの受信枝の出力は、ダイプレクサ受信動作が可能なように、前記マルチスイッチの１つの側面において互いに接続される、
ことを特徴とする請求項１乃至７のいずれか１項に記載のモジュール。
【請求項９】
ＦＤＤモードで複信化される移動無線システムの送信枝および受信枝の出力が互いに一体的に接続されており、２つの枝は、前記マルチスイッチのスイッチ位置において、当該接続を介して、前記アンテナに、同時に、そして、ともに接続される、
ことを特徴とする請求項１乃至８のいずれか１項に記載のモジュール。
【請求項１０】
前記マルチスイッチは、各々がスイッチ線によって制御可能な、スイッチングトランジスタ、または、その他のスイッチング手段を備える、
こと特徴とする請求項１乃至９のいずれか１項に記載のモジュール。
【請求項１１】
前記モジュールは、スイッチ線の数より少ない複数の制御線によって制御される復号器を備え、
前記復号器は制御線を介して送信された符号をスイッチ位置の組合せに変換する、
ことを特徴とする請求項１０に記載のモジュール。
【請求項１２】
前記マルチスイッチは、ｐＨＥＭＴ、バイポーラまたはＣＭＯＳ技術によるＭＥＭＳスイッチ、または半導体回路要素を備える、特徴とする請求項１乃至１１のいずれか１項に記載のモジュール。
【請求項１３】
前記モジュールは、当該モジュール基板内に、ＬＣフィルタとして集積された送信フィルタを内部に配置した、様々な移動無線システムの送信枝を備える、
ことを特徴とする請求項１乃至１２のいずれか１項に記載のモジュール。
【請求項１４】
前記モジュールは、その内部に受信フィルタを有する、様々な移動無線システムの受信枝を備え、前記受信フィルタはＳＡＷまたはＢＡＷフィルタとして構成される、
ことを特徴とする請求項１３に記載のモジュール。
【請求項１５】
前記モジュールは、送信枝に電力増幅器を備える、
ことを特徴とする請求項１３または１４に記載のモジュール。
【請求項１６】
前記モジュールは、受信ＩＣおよび送信ＩＣを備える、
ことを特徴とする請求項１３乃至１５のいずれか１項に記載のモジュール。
【請求項１７】
前記モジュールは、方向性結合器が電力増幅器とＦＤＤ複信化送信フィルタとの間に配置される、
ことを特徴とする請求項１５または１６に記載のモジュール。
【請求項１８】
４つのＧＳＭ移動無線システムと、少なくとも３つのＷＣＤＭＡ移動無線システムの送信枝および受信枝が、前記モジュール上で、対応する送信および受信フィルタを備えるよう構成される、
ことを特徴とする請求項１乃至１７のいずれか１項に記載のモジュール。
【請求項１９】
前記マルチスイッチは、必要に応じて、異なる移動無線システムの送信枝および／または受信枝の出力を第１の、または他のアンテナに接続する、
ことを特徴とする請求項１乃至１８のいずれか１項に記載のモジュール。
【請求項２０】
同じ周波数帯域で機能する、２つの異なる移動無線システムに利用可能な、受信フィルタを内部に構成する受信枝を提供する、
ことを特徴とする請求項１乃至１９のいずれか１項に記載のモジュール。
【発明の詳細な説明】
【背景技術】
【０００１】
移動体通信の分野において、より高い集積化にともない、小型化が進んでいる。例えば、将来の電話においては、移動体電話について、４バンドのＧＳＭ（Global System for Mobile Communications: 移動体通信のためのグローバルシステム）に加え、さらなる３バンドのＷＣＤＭＡ（Wideband Code Division Multiple Access: 広域帯符号分割多重接続）を設計する必要がある。さらに、ＷＣＤＭＡやＧＳＭなどの異なる通信基準は、フロントエンド、および対応するＲＦ集積回路（ＩＣ）について異なる構成を要する。
【０００２】
ＷＣＤＭＡはＦＤＤ（Frequency duplex:周波数複信)を用いており、送信と受信を同時に行うには、アンテナにデュプレクサを要する。ＧＳＭの場合、送受信トグルスイッチが１つあれば十分であり、これは、バンドトグルスイッチとしても用いることが可能である。
【０００３】
図１は、ＱＢ（４バンド）ＧＳＭ／ＥＤＧＥおよび、３バンドＷＣＤＭＡ用の、既知のマルチモードおよびマルチバンドフロントエンドの典型的な構成を示す。全ての要素は、移動体電話の回路基板上に離散して配置され、接続素子（coupling element)Ｍを介して、アンテナに接続される。当該接続素子は、最も単純な場合において、１対Ｎのスイッチである。図１から明確であるように、このタイプの構成では、ＧＳＭの受信（ＲＸ）パスおよび送信（ＴＸ）パスのみが適度に調整可能であり、最短パスで接続される。しかし、ＷＣＤＭＡ用のパスを追加した途端に、デュプレクサ要素を配置する側をどちらにするか決めなければならなくなる。
【０００４】
図１では、デュプレクサはＴＸ側に配置され、ＷＣＤＭＡの受信側（ＲＦＩＣ）に入るデュプレクサのＲＸゲートからのフィード線は他の信号線と交差するか、長くなりすぎてしまい、この結果、望ましくない信号の結合や、挿入損失(insertion loss)の増大を生じてしまう。
【発明の開示】
【発明が解決しようとする課題】
【０００５】
本発明の課題は、マルチバンドおよびマルチモードのフロントエンドに利用可能であり、より洗練され、コスト面で優位であり、さらに／または、フロントエンド内において、よりコンパクトな接続を可能とするモジュールを提供することである。
この課題は請求項１の特徴を備えたモジュールの発明によって達成される。発明の有利な構成は付加的な請求項から明らかになる。
【課題を解決するための手段】
【０００６】
本発明の実施の形態は、フロントエンド、即ち、アンテナ側、で利用可能な、移動無線機器のマルチバンド、マルチモード、またはマルチバンドおよびマルチモード方式を対象としたモジュールを提供する。モジュールの主要要素は、必要に応じて、異なる移動無線システムの送信枝および／または受信枝の１つまたは複数の出力をアンテナに接続する。出力は、よって、アンテナへの（Ｔｘ）信号を搬送するか、アンテナから遠ざかる（Ｒｘ）信号を搬送するかに関わらず、マルチスイッチの（外部）接続を意味する。ここでの少なくとも１つの移動無線システムは、送信枝と受信枝がアンテナに同時に接続され、同時に送受信を可能とする、周波数複信法を用いる。
【０００７】
提示されるモジュールにおいては、送信枝および受信枝を空間的に引き離した構成を備え、送信枝および受信枝を異なるスイッチ出力に個別に関連付ける。周波数複信(frequency duplex)法を用いる移動無線システムの稼動には、少なくとも１つのスイッチ位置がマルチスイッチに提供される。この位置は、第１の（即ち、周波数複信化された）移動無線システムの送信枝と受信枝とを同時にアンテナへ接続する。ＦＤＤ複信化機能を可能にするため、複数の、好ましくは全ての接続可能な枝について、整合素子(matching element)がモジュール内に集積化される。対応するスイッチ位置における素子は、スイッチの出力において、枝に割り当て、あるいは接続され、したがって、さらに、このスイッチ位置において、アンテナに接続される。
【０００８】
本発明の実施の形態はデュプレクサの受信フィルタ（ＲＸフィルタ）と送信フィルタ（ＴＸフィルタ）とを、互いに分離された枝に構成し、少なくとも２つの異なる移動無線システムの全ての回路を中枢スイッチで結合する、するという発想に基づいている。さらなる枝は、複信化されていない、よって、個別に接続可能な、ＴＤＤ複信化法（時分割複信）を用いる移動無線システムの送信枝および受信枝を備えてもよい。中枢マルチスイッチはＴＸフィルタを備える全ての送信枝をスイッチの片側に配置して、ＲＸフィルタを備える全ての受信枝をスイッチのもう一方の側に配置する構成を提示する。これにより、送信枝と受信枝とを機能に応じて空間的に分離することができる。この結果、モジュール上、またはモジュールを備えるプリント回路基板上において、コンダクタの交差を完全に防ぐこと、および、全ての枝を”平行”に、ただしＲＸ枝およびＴＸ枝に別れるように伸ばすことが可能となる。このようにして、スイッチ出力と、信号処理ＩＣ（ＲＦ−ＩＣ）において対応する入力との間の接続は、その長さを最小限に抑えることができる。提案されるモジュールでは、ＲＸ枝およびＴＸ枝の間で干渉するカプリングを生じることなく、モジュールの表面上、またはモジュールを構成するプリント回路基板上に、全ての枝とその構成要素とを配置することが可能となる。
【０００９】
送信枝および受信枝の、必要とされるあらゆる種の、互いに独立した、相互接続、そして、アンテナまたはアンテナ出力との接続は、少なくとも２つの異なる送信基準、例えば、既に述べたＧＳＭ基準、またはＷＣＤＭＡ移動無線システム、に準拠する、対応する枝を備える、多数の移動無線システム用にモジュールを設計することを可能とする。
【００１０】
１つの実施形態において、モジュールは、各スイッチの出力に接続可能な枝のそれぞれについて整合素子を提供する。これらの整合素子は、整合素子であっても、整合に利用可能なネットワークであってもよく、ときには、複雑なインピーダンスを伴う。整合素子は、ＦＤＤモードで複信化された移動無線システムの送信枝と受信枝との間で、望ましい相回転（phase rotation）を保証する機能を提供するようにしてもよい。簡素な整合システムは、電気的な距離が整合された線であっても、或いは、対応付けられた線路インダクタンス(line inductance)が整合素子として利用されている他の電気的な接続であってもよい。
【００１１】
本発明に係るモジュールにおいては、整合素子が２つの枝のそれぞれと対応付けられているため、前述のＦＤＤ移動無線システムにおける送信枝と受信枝との間の全体的な整合は、２つの枝の間で分けても、それらの２つの枝に対応付けられる整合素子の間で分けてもよい。
【００１２】
整合素子は、回路環境またはフィルタの標準インピーダンスに対して、インピーダンス整合を保証し、さらに、例えば、インピーダンス変換の実施を保証する。
【００１３】
整合素子を、スイッチの空間的な広がりのため、防ぎようのない寄生素子(parasitic element)の埋め合わせとして利用してもよい。
【００１４】
特別に構成された整合素子が、送信枝とスイッチ出力との間のモジュール内に提供される。整合素子は、送信フィルタの通過帯域外の信号を送信フィルタにおいて反射し、”原信号”と干渉することによって消滅するように、相回転の処理を実施する。この実施の形態は、ローパスフィルタとして構成された送信フィルタに好適である。
【００１５】
さらには、整合素子は、複数の枝がアンテナに同時に接続されるような特定のスイッチ位置において、対応する相互接続された枝における素子の相互干渉を抑制、あるいは避けることができるように構成されてもよい。これは、これらの整合素子を用いることで、適切な位相関係を調整することによって可能となる。このようにして、マルチプレクス動作が可能となる。
【００１６】
例えば、このようにすることによって、モジュール内に集積された整合素子を用いてトリプレクサの機能が実現できるように、第１の移動無線システムの２つの枝と、さらなる移動無線システムの少なくとも送信枝か受信枝のいずれかと、の両方を、アンテナに接続することが可能となる。更に高いマルチプレクシングが整合により可能となる。よって、５つの異なる枝、または５つのフィルタをともに、適切な整合により、相互に、そしてアンテナに接続する、５重化送信(quintplexer)システムが知られている。５重化送信システムは、本開示においても中枢マルチスイッチを、中枢および／または接続素子とすることで、実装可能である。
【００１７】
整合素子は、モジュール基板に部分的に、あるいは、完全に集積されることが好ましい。この目的のため、モジュール基板は絶縁中間層によって隔てられる複数の金属皮膜面を備える、多層構造を示す。金属皮膜面は、例えば、抵抗、位相線、キャパシタンス、またはインダクタンスといった、受動素子を形成するように構成される。
【００１８】
本発明のさらなる実施の形態は２つの送信枝または２つの受信枝、あるいは、異なる移動無線システムの送信枝と受信枝、または同じ移動無線システムの送信枝と受信枝を、スイッチ内においてしっかりと相互に接続し、これらの接続された２つの枝を一つのスイッチ位置によって、または個別のスイッチを切り替える（throw）ことにより、同時にアンテナに接続可能にする。これによっても、ダイプレクス送信方式またはダイプレクス受信方式、あるいは、複信（duplex）方式が可能となる。ここでは、固定配線が個々のスイッチの排除を可能とする。
【００１９】
スイッチを通過する固定配線を利用して、スイッチそれぞれのスイッチ位置により、当該異なる種のものであってもよい枝の、さらなる高いマルチプレクシングを実装することも可能となる。各出力に対応付けられ、よって各枝に対応付けられる整合素子の助けによって、近接した周波数帯域の、またはこれらの帯域に関連する、対応する送信枝または受信枝についても、干渉が生じることなくダイプレクス処理が可能となる。当然ながら、同様のことが、互いに離れた周波数帯域を備える枝にも当てはまる。
【００２０】
モジュールの実施の形態においては、ＦＤＤモードで複信化された移動無線システムの送信枝および受信枝の出力はしっかりと相互に接続される。よって、この接続を、そのスイッチのスイッチ位置にある、個々のスイッチの助けによって、アンテナに接続することが可能となる。したがって、個別のスイッチによって、送信枝と受信枝とを同時にアンテナに接続することが可能となる。
【００２１】
スイッチは、単一スイッチの機能を満たし、電気回路を開いたり閉じたりすることが可能な、スイッチトランジスタを備える半導体素子であってもよい。スイッチトランジスタはスイッチ線により制御される。ここでは、各トランジスタは異なるスイッチ線によって制御される。よって、モジュールは、スイッチトランジスタの数、よって、個々のスイッチの数、に対応するスイッチ線の数を提供する。
【００２２】
しかしながら、モジュールに復号器を備えることも可能である。復号器は、スイッチ線の数よりも少ない数の制御線によって制御される。制御線によって、スイッチ位置、またはスイッチ位置の組合せに対応するスイッチ符号が送信される。復号器では、符号が変換され、符号に対応するスイッチトランジスタ、または、それに対応するスイッチ線が制御される。
【００２３】
このようなトランジスタを備えるマルチスイッチは、シリコン、シリコンゲルマニウム、ＧａＡｓ、またはＳＯＩ基板に、ＣＭＯＳ、バイポーラ、またはｐＨＥＭＴ技術によって形成されてもよい。しかしながら、スイッチ機能を機械的な方法で実装する微小電気機械システムまたはマイクロマシンシステム（ＭＥＭＳシステム）としてスイッチを構成することも可能である。このようなＭＥＭＳスイッチは、例えば、可動の接触舌片(contact tongue)と固定のスイッチ接点との間の静電気引力によって適切なスイッチ接続が確立／解除される、キャパシタ原理に従って機能してもよい。
【００２４】
多層構造のモジュール基板を用いる場合、送信枝のフィルタをローパスフィルタとして構成し、基板にＬＣフィルタの形で集積してもよい。このために必用なＬ素子とＣ素子は、ここでは、適切に構成された金属皮膜面によってインダクタンスとキャパシタンスとして実装される。
【００２５】
モジュールは、受信枝とその中に配置された受信フィルタによって拡張することもできる。このとき、受信フィルタはＳＡＷ、またはＢＡＷフィルタとして形成されることが好ましい。これらのフィルタの種類は両方とも、低い挿入損失(insertion loss)にて実装することができ、さらには、併合されたバラン機能を実現することができる。バラン機能は、アンテナ側からシングルエンドで受信枝へと印加された信号を、対称信号処理(symmetric signal processing)を利用して、対称信号として、直列接続されたＲＦ−ＩＣに配信または変換することを可能にする。別途のバラン機能は無用となる。
【００２６】
さらなる高い集積工程においては、モジュールは電力増幅器を備える。電力増幅器は、送信枝内、さらには、モジュール基板内、またはモジュール基板上に配置される。
【００２７】
より高い集積工程においては、さらなる構成ステップにおいて単一のトランシーバ素子として構成することができる、受信ＩＣと送信ＩＣを備えるモジュールが提供される。
【００２８】
必用に応じてモジュールは方向性結合器を備えてもよい。方向性結合器のそれぞれは、電力増幅器とＦＤＤ複信化された送信フィルタとの間に配置される。
【００２９】
モジュールは、現在運用される４つのＧＳＭ移動無線システムと少なくとも３つのＷＣＤＭＡ移動無線システムの送信枝と受信枝用に構成することができる。そして、必要に応じて、適切な送信フィルタと受信フィルタを備えることができる。
【００３０】
マルチスイッチ上の中央を伸びる個別の枝を有する、本発明に係るモジュールは、単純な方法で、結合(coupling)を増やすことなく、多数の枝をスイッチに接続することを可能とする。これは、モジュールが、異なる種類の枝のコンダクタ交差(conductor crossing)を防ぐ働きをするためである。本発明に係るモジュールによれば、枝の数が増えると、少なくとも受信側で処理できる、移動無線システムや他の無線基準も増加する。このような、受信のみに提供される、さらなる無線通信基準は、例えば、ＧＰＳ，ＤＭＢ、ＤＶＢＨやその他のための受信枝である。
【００３１】
本発明の実施の形態によれば、異なるオペレーティングシステム、移動無線基準、そして、その他の通信基準に必用な枝の全てを個別にスイッチに接続することが可能であり、そして、それらを個別に接続できる可能性を備える。しかしながら、複雑さを軽減するため、さらなる２つ以上の枝、またはそれらが供えるフィルタなどの要素のみを組み合わせて、複数の移動無線システムに利用することが可能である。これは、受信枝に配置される受信フィルタに特に当てはまることであり、周波数帯域が重なる場合、異なる移動無線システムや移動無線基準の受信枝に対して、利用することができる。
【００３２】
以下に、実施形態および関連する図を参照して、本願発明の詳細について説明する。図面は、略図であり、本願発明の理解を深める役割を果たすものに過ぎない。
【発明を実施するための最良の形態】
【００３３】
図１は、既知の技術において使用されている、移動無線装置内のフロントエンドの各要素の接続を示す図である。マルチスイッチＭＳが中枢要素であり、必要に応じてアンテナＡＮＴを、対応するフロントエンドの枝(branch)への入力となる１つまたは複数の出力に接続する。したがって、例えば、図において、マルチスイッチＭＳの下部に示される４つの出力は、４つのＧＳＭ移動無線システムの受信枝(reception branch)に割り当てられる。各受信枝には、受信フィルタＥＦＧ１からＥＦＧ４が配置される。枝は、トランシーバＩＣ  ＲＦＩＣの受信部に入力される。
【００３４】
図において、マルチスイッチＭＳの左側に、３つの出力が表示される。これらは、デュプレクサ ＤＰＷ１、ＤＰＷ２、ＤＰＷ３にそれぞれが接続される、３つのＷＣＤＭＡ移動無線システムのために提供される。マルチスイッチＭＳの左側にある最も下の２つの出力は、それぞれつのＧＳＭ移動無線システムの送信枝(transmission branch)に導かれる。ＧＳＭシステムにおいては、送信枝と受信枝を空間的に引き離すことが可能であるが、ＷＣＤＭＡシステムのデュプレクサでは、送信パスと受信パスの分岐が生じ、それぞれは、対応する送信ＩＣまたは受信ＩＣに導かれるか、ここに示すように、２つの機能を組み合わせたトランシーバＩＣ  ＲＦＩＣに導かれる。これらのＩＣは、すべての移動無線システムに必要な信号処理を実行するが、内部では、よりよい分断(decoupling)のために、受信部（受信ＩＣ）と送信部（送信ＩＣ）に別れている。分離された入力は、しかしながら、デュプレクサ上の分岐の結果として、対応する送信枝及び受信枝の交差を招き、したがって、結合(coupling)が増す。
【００３５】
図２は、新たに提案するモジュールのシンプルな実施の形態を示す概略図である。マルチスイッチＭＳは、必要に応じてアンテナＡＮＴを、異なる移動無線システムの送信枝や受信枝に接続される１つ以上の出力に接続する。マルチスイッチＭＳにおいては、適切なスイッチ位置において、アンテナと、接続された枝と、の間に直列接続される整合素子ＡＥが集積される。したがって、例えば、第１の送信枝ＳＺ１は、スイッチＭＳの出力ＡＧ１と接続される。この第１の送信枝は、第１の送信側の整合素子ＡＥ１Ｓを介して、アンテナに接続することができる。第１の受信枝ＥＺ１は第２の出力ＡＧ２に接続可能であり、第１の受信枝ＥＺ１は、受信側の整合素子ＡＥ１Ｅを介して、アンテナＡＮＴに接続可能である。
【００３６】
マルチスイッチはさらに少なくとも１組の出力ＡＧ３、ＡＧ４を提供する。ＡＧ３、ＡＧ４のそれぞれには、さらなる送信枝ＳＺ２と、さらなる受信枝ＥＺ２とが接続される。少なくとも１つの送信枝と受信枝との組が、送信信号と受信信号の複信化(duplexing)を必要とする、周波数複信法に基づいて動作する移動無線システムと、ここでは関連している。図１に示す既知の構成と比べて、本発明に係るスイッチは、送信枝および受信枝のための出力ＡＧの、空間的な分離を、直接的に、マルチスイッチＭＳにおいて可能にする。これにより、異なる種別の枝の間で起こりうるカプリングの増大を招くことなく、対応する枝をその種別に応じて、個別に導くことが可能となる。
【００３７】
マルチスイッチを有するモジュールは、整合素子のそれぞれを介して、適切なスイッチ位置において、さらなる枝をアンテナＡＮＴに接続するための、さらなる出力を提供することが好ましい。ＧＳＭシステム、ＷＣＤＭＡシステム、或いは、その他の移動無線システムを送信枝と受信枝に対応づけることが可能である。しかし、片側においてのみ無線送信が行われ、１つの受信枝のみを要する、情報サービスや衛星ナビゲーションシステムのための出力と、当該出力に対応付けられる整合素子ＡＥをマルチスイッチＭＳ上に提供することも可能である。または、ラジオやテレビ受信のための受信枝を提供したり、あるいは、さらなるマルチメディアサービスをこれらの出力において提供することも可能である。
【００３８】
最も単純なモジュールであるＭＤ１は、各出力に対応付けられた整合素子を含むスイッチＭＳを備える。さらなる集積ステップでは、モジュールＭＤ２は送信枝を構成しても良く、とくに、送信枝の中に配置される送信フィルタを構成するようにしてもよい。例えば、さらに高い集積度を有するモジュールＭＤ３は、送信枝のほかに、受信枝または、当該受信枝の中に配置される受信フィルタを構成することができる。送信枝および受信枝、そして、これに伴い、対応するモジュールＭＤ内、において、対応する増幅器や方向性結合器（directional coupler）を集積することもできる。
【００３９】
図３は、提案するモジュールを用いて実現可能なフロントエンドの構成として可能なものを示す。マルチスイッチＭＳは、その左側に、５つの送信枝のための５つの出力ＡＧを提供する。５つの出力ＡＧは、互いに独立してアンテナＡＮＴに接続されても、複数個ずつアンテナＡＮＴに接続されてもよい。アンテナと対応する出力との間に配置される整合素子ＡＥＳは、各出力と対応する。
【００４０】
右側には、受信枝のための１０の出力ＡＧ６からＡＧ１５が配置される。これにより、対応する、相互に独立であってもよい送信枝を、独立に、或いは複数個ずつアンテナに接続することができる。受信側では、整合素子ＡＥeが、各出力に対応付けられる。受信側では、統合された各移動無線システムについて、個別の出力と、特殊な、個別の受信枝が提供される。したがって、例えば、最初の３つの受信側出力（上部右の図に示される）は、３つの移動無線システムのための、周波数複信法によって複信化された３つの受信枝に接続される。受信枝は、例えば、ＷＣＤＭＡ  ８５０、１９００、２１００用である。さらに、異なるＧＳＭ移動無線システム、この場合、ＧＳＭ  ８５０、ＧＳＭ  ９００、ＧＳＭ  １８００、ＧＳＭ  １９００、のために、４つの受信枝が提供される。各前述の受信枝は、ここでは、例えば、ＳＡＷフィルタ、またはＢＡＷとして構成されるバンドパスフィルタを備える。
【００４１】
他の実際に提示される出力は、ＧＰＳ信号のための、受信枝に接続される。受信枝には、バンドパスフィルタも配置される。マルチメディアの受信用に、例えば、ＤＭＢ用に、さらなる出力が、受信枝に接続される。ＤＭＢは、移動通信機器のためのデジタル映像基準である。マルチスイッチＭＳの右側の最も下部に示される、さらなる出力ＡＧ１６は、移動無線システム、情報サービス、ナビゲーションサービス、またはマルチメディアサービス用の望ましい他の受信枝に接続することができる。
【００４２】
処理する移動無線基準の数に応じた数で提供される受信枝に引き換え、複数の送信枝は、要素を組み合わせて利用することが出来る。したがって、特に移動無線システムは、近い送信バンド、例えば、共通の送信フィルタを備えるように構成することができる。共通の送信フィルタは、例えば、低域を通すように、一般的には構成される。送信フィルタとしては、対応するバンド幅を備えるバンドパスフィルタも適している。
【００４３】
図３において、例えば、ＧＳＭ  ８５０およびＧＳＭ  ９００のためのＧＳＭ送信枝は、共通枝ＳＺ４に集積され、共通の送信フィルタを用いる。共通の送信フィルタは、対応する整合素子を介して、マルチスイッチＭＳの一意の出力に接続される。ＧＳＭ  １８００およびＧＳＭ  １９００のための、近接したＧＳＭ送信バンドは、共通枝ＳＺ５、および、該共通枝ＳＺ５内に配置される共通の送信フィルタを、ローパスフィルタとして用いることができ、マルチスイッチＭＳの共通出力に接続することができる。
【００４４】
図に示される、さらなる３つの送信枝、ＳＺ１からＳＺ３のそれぞれは、周波数複信移動無線システムのうちのいずれか、特にＷＣＤＭＡシステム、に対応付けられる。例えば、ＷＣＤＭＡ８５０（ＳＺ１）、ＷＣＤＭＡ１９００（ＳＺ２）、そしてＷＣＤＭＡ２１００（ＳＺ３）である。ここで、各システムは、自システム用の送信フィルタを要する。これらのシステムが要する複信機能は、送信フィルタとしてバンドパスフィルタを必要とし、対応するＲＸフィルタへの位相および／またはインピーダンス整合を要するためである。さらに、周波数複信機能を受信フィルタにおいても実現するには、同じシステムの適切な送信バンド用にカスタマイズされた整合素子が利用される。これにより、適切なインピーダンスよび位相整合が送信フィルタおよび受信フィルタの間で保証される。個別の枝に対する整合素子のモジュール分割の結果、互いから全く分離した枝を作ることができる。
【００４５】
図４は、例えば、図３に示されるようなマルチスイッチモジュールを有するフロントエンドの全体構成を示す。さらに、この図では、送信枝および受信枝の全体が、これらに対応づけられている要素とともに示される。全ての枝は、対応する送信ＩＣまたは受信ＩＣに、即ち、図４に示されるように、共通のトランシーバＩＣ  ＲＦＩＣに接続される。この統合された送信および受信要素は、空間的に離れて実現される送信機能および受信機能と、対応する入力とを備える。本発明に係るモジュールによれば、機能に応じて、トランシーバＩＣの対応する側に存在する、対応する入力の上を交差することなく、互いに離れた枝を実現することができる。
【００４６】
上述した入力側のフィルタのほかに、ここでの送信枝、少なくとも周波数複信ＷＣＤＭＡシステム移動無線システム用のものは、双方向結合器ＲＫＷ、低ノイズ送信増幅器ＰＡＷ、そして第２の送信フィルタＳＦＷをそれぞれ備える。第１の送信フィルタが十分な品質を提供する場合、第２の送信フィルタＳＦＷを省いてもよい。受信枝においては、受信増幅器ＬＮＡおよび、オプションである第２の受信フィルタＥＦＷが、各周波数複信ＷＣＤＭＡ移動無線システムに対して提供される。ＧＳＭシステム用の受信枝は、対応するＲＦ半導体要素、例えば、ＧＳＭ  ＲＸ信号の増幅を行うことができる、一体化されたトランシーバＲＦＩＣに直接入力してもよい。低ノイズ増幅器ＬＮＡが統合されたレシーバおよび／またはトランシーバＩＣにおいては、第２の受信フィルタを、ＩＣから伸びるさらなる回路ループ(circuit loop)に配置してもよい。
【００４７】
図には、ＧＳＭ移動無線システムの受信枝の、さらなる実施の形態、即ち、受信フィルタに統合されたＢＡＬＵＮ機能、が示される。アンテナに到着する非対称（シングルエンド）信号は受信フィルタにおいて、ＢＡＬＵＮ機能によって、受信フィルタの出力に印加される、２つの互いに対称的な信号に変換される。この信号は、これにより、トランシーバＩＣ  ＲＦＩＣ内の対称的に機能する増幅器に印加することができる。対称増幅器は、非対称に動作する増幅器と比べて、技術的な利点を有するため、この構成は特に好まれる。ＢＡＬＵＮ機能を備える受信フィルタは、ＢＡＬＵＮを追加することなく、対称増幅器の利用を可能とする。
【００４８】
図５において、マルチスイッチＭＳの概略図は、マルチスイッチＭＳ内にどのように異なる接続を実装可能であるかを示す。これまで、図３および図４のそれぞれに示してきた、本発明に係るマルチスイッチに類似するように、周波数複信移動無線システムのそれぞれにおいて、スイッチの上部３つの出力は、送信側（左）と受信側（右）に割り当てられる。これは、送信と受信とが同時に行われることを必要とし、同時に送信と受信を行うことは、移動無線システムに対応づけられた送信枝と受信枝とがアンテナに同時に接続される場合にのみ、可能となる。したがって、マルチスイッチＭＳにおいて、最初の３つの周波数複信システムの送信枝および受信枝のペアについては、対応するペアのアンテナへの同時接続を可能とするスイッチ位置のみを認める。マルチスイッチにおいて、例えば、アンテナ出力と、ＷＣＤＭＡシステム用の、送信枝および受信枝の３つのペアと、を含む部分は、所謂３対３スイッチ(three-on-three switches)として構成されてもよい。
【００４９】
残りの出力、あるいは、時間遅延の送信および受信（ＴＤＤ（時分割複信）法）を備える未接続の移動無線システムについては、ある時点において、送信枝および受信枝のうちのいずれかから選択された１つの枝をアンテナに接続してもよい。この目的のために、アンテナを、図５に示される残りの６つの出力のいずれかに必要に応じて接続する、例えば、ＳＰ６Ｔスイッチが適当である。これらの出力は、ここでは、２つの送信枝と４つの受信枝とに接続される。
【００５０】
図６は送信枝および受信枝に接続されるマルチスイッチＭＳを示す。送信枝および受信枝の１２の出力のそれぞれは互いに独立してアンテナＡＮＴに接続可能である。スイッチの制御はスイッチ線(switching line)ＳＬを介して行われる。個別に制御される出力のそれぞれには、異なるスイッチ線ＳＬが提供される。各スイッチ線は、適切なスイッチ信号を１つのスイッチに与えることで、１つの、トランジスタＴとして構成されるスイッチを、オンまたはオフに切り替えることができる。この結果、各出力を個別に、またはグループごとに、別々に、そして独立して、制御することが可能となる。これにより、スイッチ位置の様々な組合せが可能となるが、周波数複信移動無線システムにおいては、無論、対応する送信枝および受信枝の同時接続が理にかなっている。図においては、例えば、最も上の送信枝ＳＺ１と受信枝ＥＺ１とのペアがアンテナＡＮＴに接続されている。係る実施の形態においては、ＳＰ１２Ｔスイッチを用いてもよい。
【００５１】
マルチスイッチＭＳに集積して、または、マルチスイッチＭＳに接続する別個の要素として、復号器（decoder）を提供してもよい。復号器は、実際には、マルチスイッチＭＳを、スイッチ線の数に比べて、少ない数の制御線で制御するために、より少ない数の可能なスイッチの組合せを用いる。特定の制御の組合せに相当する符号が、制御線を介して送信される。復号器はこれらの符号を復号し、望まれるスイッチ位置の組合せに相当する、適切な信号をスイッチ線に与える。図７においては、例えば、このような復号器ＤＣの構成を概略的に示す。図の下部において、独立して働く１２の独立したスイッチに対応する数のスイッチ線ＳＬが提供される。復号器ＤＣの右側には、スイッチ線の数より少ない、制御線ＳＴＬが示される。図６のＳＰ１２Ｔスイッチについては、１２のスイッチ線ＳＬは、（周波数複信法による）３つの移動無線システムに対して、送信枝および受信枝のペアスイッチング(paired switching)が可能なように、例えば、たった４つの制御線ＳＴＬで操作することが出来る。残りの６つの出力については、個別にのみ制御することができる。このような復号器の、１つの可能な、シンプルな論理回路を以下の表に示す。
【表１】
2009531882.tif 000003
【００５２】
Ｃ１からＣ４は４つの制御線の信号の占有状態を示し、列Ｔ１からＴ１２は対応する個別のスイッチ（例えば、個別のトランジスタ）に与えられ、スイッチ線を介して送信されるスイッチ信号を示す。示される４つの制御線を用いて、最大１６の異なるスイッチの組合せが生成される。より多い数のスイッチの組合せには、より多い数のスイッチ線が必要である。例えば、３２のスイッチの組合せには５つの制御線が、または、６４のスイッチの組合せには、６つの制御線が必要である。
【００５３】
図８は、マルチスイッチＭＳを備えるモジュールについてのさらなる実施形態を示す。これは、図５に示される構成と類似して形成されるが、周波数複信移動無線システムの各送信枝および受信枝のペアに加えて、ＧＳＭシステムの受信枝を同時にアンテナに接続できる可能性を広げる。提示されるスイッチ位置において、３つの枝は互いに個別に操作させることが可能であるため、システムはトリプレクサとして機能する。これは、対応する整合素子ＡＥを介した位相訂正整合(phase correct matching)を要するが、その一方では、ＧＳＭシステムにおいて、乱されることのない複信機能、およびこれと並行して、乱されることのない受信機能を可能とする。このようにして、周波数複信移動無線システムにおける呼接続(call connection)の監視と並行して、見込まれる着呼についてＧＳＭチャネルを監視することが可能となる。さらに、複数のＧＳＭ受信枝において、時間的に遅延された、しかし、継続的に交代される同時個別(simultaneous respectively)監視が可能なように、動作中に、ＧＳＭシステムの個別に切り替え可能な受信枝の各スイッチを、定期的に切り替えることができる。
【００５４】
さらに、受信枝ＥＺ４からＥＺ７の受信フィルタＥＦ４からＥＦ７には統合されたＢＡＬＵＮ機能が提供されおり、Ｒｘ信号の対称増幅器における対称処理を可能とする。
【００５５】
図９は、さらなる単純化において、複数の送信枝と、それとは別の複数の受信枝を相互に接続し、これらを共通出力を介してマルチスイッチＭＳへ接続する、スイッチモジュールを示す。ＳＺ１からＳＺ５の合計５つの送信枝と、ＥＺ１からＥＺ５の５つの受信枝とが提供される。第４の送信枝ＳＺ４は、移動無線システムＧＳＭ８５０とＧＳＭ９００との共通の送信枝として構成される。同様に、第５の送信枝ＳＺ５はＧＳＭ１８００とＧＳＭ１９００の２つの近接したＲＸバンドのための共通の送信枝として構成される。第４および第５の送信枝ＳＺ４およびＳＺ５用の送信フィルタはそれぞれローパスフィルタとして構成される。
【００５６】
近接するＲＸ周波数バンドを備える２つの移動無線システム用に、モジュールは共通の受信枝を用いることもできる。図９に示す実施の形態においては、第１の受信枝ＥＺ１は、例えば、ＷＣＤＭＡ８５０およびＧＳＭ８５０の受信用に構成される。第２の受信枝ＥＺ２は、ＷＣＤＭ１９００およびＧＳＭ１９００用に同時に共通受信するように構成されている。残りの３つの受信枝ＥＺ３からＥＺ５は、それぞれ１つの移動システム、例えば、ＷＣＤＭＡ２１００（ＥＺ３）、ＧＳＭ９００（ＥＺ４）、およびＧＳＭ１８００（ＥＺ５）用に、構成される。
【００５７】
マルチスイッチＭＳは、ＳＰ１０Ｔスイッチとして形成し、１０のスイッチ線を用いて操作するようにしてもよい。図示されるように、スイッチはＷＣＤＭＡシステムにおける周波数複信接続と、ＧＳＭシステムにおける受信を同時に維持することを可能とする。ＧＳＭシステムの呼出においては、当該システムの送信枝と受信枝との間でスイッチすることができる。この処理においては、ＷＣＤＭＡの枝はアンテナＡＮＴにスイッチＭＳを介して接続されても、されなくてもよい。
【００５８】
適切な整合素子ＡＥによる、相互に、そしてアンテナに接続された異なる枝の適切な整合のほかに、本実施の形態においては、トランシーバＩＣ  ＲＦＩＣは示される構成を裏付けるように設計されている。図９による実施の形態においては、送信および／または受信フィルタは、マルチスイッチとともにモジュールに統合しても、あるいは別々に離して構成してもよい。同様のことが、ここに、そして、図に提示される構成および実施の形態に対して適用される。
【００５９】
図１３に示される実施の形態は、受信側と送信側の両方において、同じ時間における２つの枝（ＲｘまたはＴｘ）に対して１つの増幅器の利用を可能にし、それらを２つの異なる、または１つの共通の、送信または受信フィルタに適用することを可能にする。例えば、さらなる組合せに関する開示は、受信増幅器ＬＮＡ１，２を示す。これは、２つの移動無線システム用の受信枝として共通利用され、ＥＦ１とＥＦ２の２つの受信フィルタに接続される。２つの受信フィルタのそれぞれは、スイッチＭＳを介して、個別にアンテナに接続できる。よって、２つの受信フィルタＥＦ１およびＥＦ２を備える２つの枝は共通の増幅器を利用することが出来る。２つの近接する周波数バンドを備える移動無線システムに対しては、共通の増幅器を問題なく利用することができる。これは、適切なブロードバンドの増幅器が利用可能であることを想定すれば、周波数の意味において、より離れて配置される移動無線システムについても可能である。
【００６０】
図１１は、図９に示すモジュールと同様に形成されたスイッチモジュールのさらなる構成を示す。ただし、図９と比較して、ここでのマルチスイッチＭＳは９つの個別のスイッチのみを備える。スイッチは、９つのスイッチ線によって操作可能であり、合計１０の送信または受信枝との接続を確立できる。受信枝のうちの２つ（図においては、右下に示される、例えば、２つの受信枝ＥＺ４およびＥＺ５）は、しかしながら、マルチスイッチ内で強固に互いに接続されており、これらはともに、１つのスイッチ処理または１つのスイッチによってアンテナに接続される。ただし、接続された受信枝のそれぞれについて整合素子がマルチスイッチ内に集積される。このスイッチ位置を介して、２つの接続された受信枝ＥＺ４とＥＺ５について、受信側のダイプレクサ(diplexer)機能を得ることが出来る。これは、整合素子ＡＥの利用による適切な整合によって、異なる移動無線システム、例えば、ＧＳＭ９００およびＧＳＭ１８００の受信枝の、周波数の意味で互いに遠く離れた２つの周波数バンドについても可能である。これとは独立に、あるいは、これに加え、周波数複信移動無線システムのＲｘ枝およびＴｘ枝はマルチスイッチを通る固定した接続を提供することができる。この接続は、単独のスイッチの利用によりアンテナに接続可能であり、複信方式を保証する。
【００６１】
マルチスイッチを通る同様の固定接続は、異なる移動無線システムの切り替え可能な送信枝および受信枝を、ともに接続することができ、１つの共通した独立スイッチを介してアンテナに接続することもできる。このような固定配線は、マルチスイッチを介して強固に接続される２つ以上の枝を備え、これらの２つ以上の枝が１つの共通の独立したスイッチを用いてアンテナに接続される、より質の高いマルチプレクサを実装することができる。これにより、この目的に必要なマルチスイッチを簡素化することができる。
【００６２】
図１０はスイッチモジュールの実施の形態を示す。これは、図６の実施の形態と同様に割り当てられた数に対応する送信枝および受信枝を提供する。しかしながら、図６と比較すると、示されるスイッチモジュールは簡素化されており、スイッチの数が２つ少ない。互いに離れたＧＳＭ移動無線システムの２つの受信枝は、ここでは、図１１と同様のデュプレクサとして設計される。よって１０のスイッチ線によって制御されるＳＰ１０Ｔスイッチを利用することができる。
【００６３】
図２乃至図１１に示されるマルチスイッチにおける全ての個々のスイッチは、スイッチ線に与えられた信号の機能として、電流を通すか遮断し、スイッチをオンまたはオフに設定する、個別のトランジスタとして設計してもよい。このようなトランジスタは、バイポーラＣＭＯＳ技術、あるいは、ｐＨＥＭＴ（ｐ−高電子移動度トランジスタ）素子によって実装してもよい。スイッチは、シリコン、シリコンゲルマニウム、ＳＯＩ、またはガリウムヒ素などの基板、またはヘテロ接合基板に形成してもよい。あるいは、各個々のスイッチは、マイクロマシン(microelectromechanical)回路素子（ＭＥＭＳスイッチ）として構成されても良い。
【００６４】
図１２は、モジュールの素子を、多層膜基板(multiple layer substrate)ＳＵ上に配置する方法、および、互いに接続する方法のさらなる可能性について示す。例えば、図１２Ａは、回路素子ＳＢＥの１つ以上のトランジスタまたはＭＥＭＳスイッチが適用され、例えば、基板に接着された構成を示す。回路素子は、結合線(bond wire)ＢＤを介して、基板ＳＵの上部の、対応する接点に接続される。多層膜基板自体においては、対応する接続が形成され、さらには受動素子が集積される。受動素子は、個別に、または組み合わせて、マルチスイッチの、対応する整合素子を構成する。送信フィルタＳＦおよび受信フィルタＥＦは基板ＳＵの同じ平面に配置してもよく、基板ＳＵに、例えば、フリップチップマウンティングによって接続されてもよい。フィルタを結合線を介して基板に、そして、回路素子に接続することも可能である。
【００６５】
図１２Ｂは、スイッチ素子ＳＢＥが、結合線による接触を排除するために、フリップチップ構成によりマウントされた実施の形態を示す。送信および受信フィルタＳＦ，ＥＦにフリップチップ構成を適用してもよい。
【００６６】
図１２Ｃは、スイッチ素子ＳＢＥが送信および受信フィルタＳＦ，ＥＦに面した基板の側に配置された実施の形態を示す。フリップチップマウンティング技術は、電子的および機械的な並列接続を可能とする。さらに、回路素子ＳＢＥは、他の素子同様に、基板ＳＵの凹所(recess)に組み込んで、基板上に構成してもよい。
【００６７】
モジュールの基板ＳＵは、有機誘電層の間に、構造化された金属皮膜面（metallization plane）を、スイッチ処理のために提供する、積層体(laminate)であってもよい。基板ＳＵは、ＬＴＣＣセラミック、ＨＴＣＣセラミック、またはガラスから形成されてもよい。ただし、それぞれは、対応する有機誘電層によって互いに分離された複数の金属皮膜面を有する多層膜構成を備える。多層膜基板においては、全ての整合素子は、線、インダクタンス、キャパシタとして形成されてもよい。ただし、整合素子、または整合素子の一部を基板表面上に離散した(discrete)要素素子として配置することも可能である。
【００６８】
電子的に接触する素子を備えるモジュールであって、当該素子をマウントされたモジュールは、モジュールの生産において、溶射法(spraying)または、キャステイング(casting)によって作成してもよい。
【００６９】
或いは、または、さらには、モジュールはシールドする筐体(housing)を備えるように提供してもよい。しかしながら、送信枝と受信枝との間にさらなる電磁シールドを提供するために、モジュール上に送信枝と受信枝のために個別の遮蔽物を配置することも可能である。
【００７０】
モジュールをスイッチング環境に接続する、特に、移動無線装置の基板上にマウント可能な、モジュールの外部接続は、ＬＧＡ（ランドグリッドアレイ）または、ＢＧＡ（ボールグリッドアレイ）として形成してもよい。モジュールの接点パッドをキャスタレーション(castellation)として形成してもよい。
【００７１】
送信および受信フィルタ、整合素子、回路素子、または各トランジスタ回路のいずれもが、ＳＭＴ技術、フリップチップ技術を用いて配置されてもよい。あるいは、基板の上または下にベアダイ要素として構成してもよい。図１２Ｃに示すように、個別の、あるいは、複数の素子は、所謂キャビティ(cavity)内の、基板内の対応する凹所に埋め込まれてもよい。
【００７２】
本発明によるモジュールは、既に述べたように、異なる追加要素を基板上に、または基板内に構成する、複数の集積化ステップを備えてもよい。最も集積化の高いステップでは、送信および受信ＩＣ、またはトランシーバＩＣ用の半導体素子を基板上にさらに適用してもよい。
【００７３】
本発明は、図に示された実施の形態の例に限定されるものではない。本発明の範囲は、対応する移動通信、または他の無線通信または、情報システムへの、異なる枝の割り当てに応じて、マルチスイッチＭＳに接続される枝の数が、さらに変更されたモジュールも含む。送信または受信枝の共通利用、または、異なる枝の共通のスイッチング、および、その結果得られる、複雑さが軽減されたスイッチを考慮して、枝の数の変更は、簡素化された構成を様々に組合せて行われる。マルチスイッチは、スイッチングに必要な全てのトランジスタが集積された回路素子を備えてもよい。マルチスイッチは、複数のトランジスタ素子を備えてもよい。このうちの、２つ以上のトランジスタ素子に、回路機能および回路の組合せとが割り当てられていてもよい。
【図面の簡単な説明】
【００７４】
【図１】既知のフロントエンドにおける素子の接続を示す図である。
【図２】本発明に係るモジュールの概略を示す図である。
【図３】本発明に係るモジュールを備えるフロントエンドとして可能な構成の概略を示す図である。
【図４】マルチスイッチモジュールを備えるフロントエンドの全構成を示す図である。
【図５】細分化されたマルチスイッチを示す図である。
【図６】スイッチ線を備えるさらなるマルチスイッチを示す図である。
【図７】復号器の構成を示す図である。
【図８】細分化されたマルチスイッチを備えるモジュールの他の実施の形態を示す図である。
【図９】互いに結合された、複数の送信枝と、これとは独立した複数の受信枝と、を備える単純化されたスイッチモジュールを示す図である。
【図１０】個々のスイッチの数を減らしたスイッチモジュールを示す図である。
【図１１】スイッチモジュールのさらなる構成を示す図である。
【図１２Ａ】全体として、モジュールの素子の基板ＳＵ上における、いくつかの可能な配置を示す。
【図１２Ｂ】全体として、モジュールの素子の基板ＳＵ上における、いくつかの可能な配置を示す。
【図１２Ｃ】全体として、モジュールの素子の基板ＳＵ上における、いくつかの可能な配置を示す。
【図１３】２つの枝によって用いられる共通の増幅器を備えるスイッチモジュールを示す図である。
【符号の説明】
【００７５】
ＭＳ              マルチスイッチ
ＥＦＧ            ＧＳＭ受信フィルタ
ＥＦＷ            ＷＣＤＭＡ受信フィルタ
ＤＰＷ            ＷＣＤＭＡ用デュプレクサ
ＰＡＷ            ＷＣＤＭＡ用送信側増幅器
ＰＡＧ            ＧＳＭ用送信側増幅器
ＬＮＡＷ          ＷＣＤＭＡ用低ノイズ受信側増幅器
ＲＫＷ            ＷＣＤＭＡ用方向性結合器
ＷＣＤＭＡ  ＴＸ  送信ＩＣ上のＷＣＤＭＡ用入力
ＧＳＭ  ＴＸ      送信ＩＣ上のＧＳＭ用入力
ＧＳＭ  ＲＸ      受信ＩＣ上のＧＳＭ用入力
ＷＣＤＭＡ  ＲＸ  受信ＩＣ上のＷＣＤＭＡ用入力
ＲＦ  ＩＣ        共通送信受信ＩＣ
ＳＺ１−ＳＺ５    送信枝
ＥＺ１−ＥＺ６    受信枝
ＡＥ１Ｓ            第１の整合素子（送信枝）
ＡＥ２Ｅ            第２の整合素子（受信枝）
ＡＧ              マルチスイッチＭＳの出力
ＭＤ１−ＭＤ４    個別に集積されたモジュール
ＡＮＴ            アンテナ
ＳＴＬ            制御線
ＳＬ              回路線
ＤＣ              復号器
Ｔ１−Ｔ１２      例えば、トランジスタといった個々のスイッチ
ＳＦ              送信フィルタ
ＥＦ              受信フィルタ
ＢＤ              結合線
ＳＵ              基板
ＳＢＥ            回路素子
ＬＮＡ１，２        共通送信増幅器
【図１】
2009531882.tif 000004
【図２】
2009531882.tif 000005
【図３】
2009531882.tif 000006
【図４】
2009531882.tif 000007
【図５】
2009531882.tif 000008
【図６】
2009531882.tif 000009
【図７】
2009531882.tif 000010
【図８】
2009531882.tif 000011
【図９】
2009531882.tif 000012
【図１０】
2009531882.tif 000013
【図１１】
2009531882.tif 000014
【図１２Ａ】
2009531882.tif 000015
【図１２Ｂ】
2009531882.tif 000016
【図１２Ｃ】
2009531882.tif 000017
【図１３】
2009531882.tif 000018
【国際調査報告】
2009531882.tif 000019
2009531882.tif 000020
2009531882.tif 000021
2009531882.tif 000022